(57)【特許請求の範囲】
【請求項１】
枢支ベース部と該枢支ベース部に枢支連結された座板支持部材と該座板支持部材の長手方向一端側に回動自在に枢支連結され且つ前記座板支持部材内に収納される蓋板支持部材と軸方向一端が前記枢支ベース部に枢支連結され他端が前記蓋板支持部材に枢支連結されると共に前記座板支持部材に対して常時平行を維持しつつ揺動するリンク部材とからなる折畳み具と、前記座板支持部材に固着され且つ金属板材からなる座板と、前記蓋板支持部材に固着され且つ金属板材からなる蓋板と、横枠部材と縦枠部材とからなる方形枠状の収納枠体と、該収納枠体を壁面部に固定する平板状壁面取付具と、前記座板の折り畳み状態で前記収納枠体とが吸引されるマグネットとからなり、該平板状壁面取付具には係止部が形成されると共に前記収納枠体には被係止部が形成され、且つ前記係止部と前記被係止部との係止にて固定され、前記折畳み具の枢支ベース部は前記収納枠体の下方位置に装着されてなることを特徴とする壁備付け用折畳み椅子。
【請求項２】
請求項１において、前記収納枠体の縦枠部材には方形枠内方側に前記縦枠部材に沿って縦板片が形成され、該縦板片には貫通孔とした前記被係止部が形成され、前記平板状壁面取付具には、先端が上向き且つ略鉤状とした前記係止部が形成されてなることを特徴とする壁備付け用折畳み椅子。
【請求項３】
請求項１又は２において、前記折畳み具の枢支ベースは、前記平板状壁面取付具の係止部に係止されてなることを特徴とする壁備付け用折畳み椅子。
【請求項４】
請求項１，２又は３のいずれか１項の記載において、前記蓋板には上下方向略中間に把手が設けられてなることを特徴とする壁備付け用折畳み椅子。
【請求項５】
請求項１，２，３又は４のいずれか１項の記載において、前記収納枠体の上方には水平方向の手摺が装着されてなることを特徴とする壁備付け用折畳み椅子。
【請求項６】
請求項１，２，３，４又は５のいずれか１項の記載において、前記収納枠体の方形枠内の奥側部には奥板材が装着されてなることを特徴とする壁備付け用折畳み椅子。
【発明の詳細な説明】
【技術分野】
【０００１】
本発明は、玄関，廊下，キッチン，公共の場等の壁面に収納自在で、且つ必要に応じて引出して使用する折り畳み椅子に関するもので、壁面に簡易且つ迅速に装着することができる壁備付け用折畳み椅子に関する。
【背景技術】
【０００２】
従来、家の玄関、廊下等の壁面に装着して、必要な時に引き出して使用する折り畳み式の椅子が存在している。特に、高齢者が玄関で立ったままの状態で靴を履いたり、脱いだりする際にバランスを崩して倒れてしまう危険がある。或は、女性がブーツを履いたり、脱いだりするときにも、立ったままの状態では、体がふらついてしまうことがあり、非常に履いたり脱いだりすることが困難である。そのために玄関には椅子が用意され、靴の履き脱ぎが容易に行われ易いようにする必要がある。しかしながら、このような椅子を常時玄関に用意しておくことは、玄関のスペース等のことから困難である。
【先行技術文献】
【特許文献】
【０００３】
【特許文献１】特開２００３−３１０３８６
【特許文献２】特開２００４−１６０１４１
【発明の開示】
【発明が解決しようとする課題】
【０００４】
そのために、玄関には折り畳みで且つ壁面に装着するタイプの椅子が存在する。この種のものとして、特許文献１及び２等が存在する。特許文献１では、壁面からの張り出し部分が大きく、また装着が面倒である。特許文献２では、椅子や枠を含めた全体の部分が大きくなり、壁面に装着するための工事に壁面等を加工する必要が生じる可能性がある。本発明は、特に玄関において高齢者が靴を履いたり脱いだりするときや、女性がブーツを履いたり脱いだりする作業を行い易くするために、一時的に腰掛ける折り畳み椅子で且つ壁面に簡易且つ迅速に装着することができるようにすることにある。
【課題を解決するための手段】
【０００５】
そこで、発明者は、上記課題を解決すべく、鋭意，研究を重ねた結果、請求項１の発明を、枢支ベース部と該枢支ベース部に枢支連結された座板支持部材と該座板支持部材の長手方向一端側に回動自在に枢支連結され且つ前記座板支持部材内に収納される蓋板支持部材と軸方向一端が前記枢支ベース部に枢支連結され他端が前記蓋板支持部材に枢支連結されると共に前記座板支持部材に対して常時平行を維持しつつ揺動するリンク部材とからなる折畳み具と、前記座板支持部材に固着され且つ金属板材からなる座板と、前記蓋板支持部材に固着され且つ金属板材からなる蓋板と、横枠部材と縦枠部材とからなる方形枠状の収納枠体と、該収納枠体を壁面部に固定する平板状壁面取付具と、前記座板の折り畳み状態で前記収納枠体とが吸引されるマグネットとからなり、該平板状壁面取付具には係止部が形成されると共に前記収納枠体には被係止部が形成され、且つ前記係止部と前記被係止部との係止にて固定され、前記折畳み具の枢支ベース部は前記収納枠体の下方位置に装着されてなる壁備付け用折畳み椅子としたことにより、上記課題を解決した。
【０００６】
請求項２の発明を、請求項１において、前記収納枠体の縦枠部材には方形枠内方側に前記縦枠部材に沿って縦板片が形成され、該縦板片には貫通孔とした前記被係止部が形成され、前記平板状壁面取付具には、先端が上向き且つ略鉤状とした前記係止部が形成されてなる壁備付け用折畳み椅子としたことにより、上記課題を解決した。
【０００７】
請求項３の発明を、 請求項１又は２において、前記折畳み具の枢支ベースは、前記平
板状壁面取付具の係止部に係止されてなる壁備付け用折畳み椅子としたことにより、上記課題を解決した。請求項４の発明を、請求項１，２又は３のいずれか１項の記載において、前記蓋板には上下方向略中間に把手が設けられてなる壁備付け用折畳み椅子としたことにより、上記課題を解決した。
【０００８】
請求項５の発明を、請求項１，２，３又は４のいずれか１項の記載において、前記収納枠体の上方には水平方向の手摺が装着されてなる壁備付け用折畳み椅子としたことにより、上記課題を解決した。請求項６の発明を、請求項１，２，３，４又は５のいずれか１項の記載において、前記収納枠体の方形枠内の奥側部には奥板材が装着されてなる壁備付け用折畳み椅子としたことにより、上記課題を解決した。
【発明の効果】
【０００９】
請求項１の発明では、折り畳み椅子を壁面に簡易且つ迅速に装着することができ、折り畳み状態において、壁面からの張り出しを極めて薄くすると共にコンパクトにすることができる。まず、壁面取付具には、係止部が形成されており、収納枠体には、前記係止部に係止する被係止部が形成されている。そして、壁面取付具を、まず所定の高さ位置に設定して、ビス等の固着具にて固着すると、前記収納枠体には被係止部が形成されているので、該被係止部が前記壁面取付具の係止部に係止するのみで、壁面取付具を介して収納枠体を壁面に装着することができる。さらに、座板及び蓋板が固着された状態で前記折畳み具の枢支ベース部を、前記収納枠体の下方部分に装着するのみで、収納枠体及び座板、蓋板及び折畳み具を簡易且つ迅速に装着することができる。さらに、収納枠体にはマグネットを具備したので座板を折り畳み収納した状態でマグネットに吸着して、蓋板が収納枠体の方形状枠内方空隙を塞いだ状態を安定させることができる。
【００１０】
請求項２の発明では、壁面取付具の係止部に対して収納枠体の被係止部とを簡単に係止でき、且つその係止状態を目視しながら行うことができ、係止状態をより一層確実にすることができる。すなわち、収納枠体の縦枠部材には方形枠の内方側に縦枠部材に沿って縦板片が形成され、該縦板片には貫通孔とした前記被係止部が形成されているので、収納枠体から、前記縦板片と貫通孔形状の被係止部が露出する状態となり、被係止部に壁面取付具の係止部が目視でき、係止作業において、被係止部に係止された係止部を容易に確認することができる。
【００１１】
さらに、係止部は、先端が上向きの鉤状としたものである。よって、貫通孔形状とした被係止部に前記鉤状の係止部を挿入させて、貫通孔形状とした被係止部を、鉤状とした係止部に対して上方から下方に向かって収納枠体を降ろすようにするのみで、係止部と被係止部とを簡単に係止させることができる。しかも、係止部は先端を上向きとした鉤状であるために、収納枠体の自重や、さらに作業中に収納枠体に作業員の体重がかかったとしても、より一層係止状態が強固になる。したがって、収納枠体を壁面取付具に対してビスにて固定する作業を行う際にも収納枠体から手を放しても安全性が確保でき、作業効率を向上させることができる。また、本発明の壁面部への装着完了後においても、極めて耐久性のある、頑丈なものにすることができる。
【００１２】
請求項３の発明では、折畳み具の枢支ベース部は、前記平板状壁面取付具の係止部に係止されることにより、折畳み具が壁面取付具側によって固定されるので、より一層強固な装着状態にすることができる。そして、前記平板状壁面取付具を壁面部に対して極めて強固に固着するのみで、枢支ベース部の被係止部が前記平板状壁面取付具の係止部に係止された状態となり、折畳み具が強固に固定されることになり、極めて高い安全性を得ることができる。請求項４の発明では、蓋板には上下方向略中間に引出取手が設けられたことにより、安定した状態で蓋板を揺動させて、椅子を収納枠体から引き出す動作を円滑に行うことができる。
【００１３】
請求項５の発明では、収納枠体の上方には水平方向の手摺が装着されたことにより、椅子に腰掛けることや、腰掛状態から立ち上がる時に安全性を確保することができる。請求項６の発明では、収納枠体の方形枠内の奥側部には奥板材が装着されることにより、収納枠体から椅子を引き出した状態で、壁面や壁面取付具が外部に露出することなく、外観性を良好にすることができる。
【図面の簡単な説明】
【００１４】
【図１】（Ａ）は本発明における主要な構成部材を分離した状態とした斜視図、（Ｂ）は本発明を壁部に装着した状態の縦断側面略示図である。
【図２】（Ａ）は本発明において座板及び蓋板が収納枠体に折り畳まれて収納された状態の正面図、（Ｂ）は本発明において座板及び蓋板が収納枠体から開いた状態の正面図、（Ｃ）は本発明において座板及び蓋板が開いた状態の斜視図である。
【図３】（Ａ）は折畳み具の分解斜視図、（Ｂ）は枢支ベース部の斜視図、（Ｃ）は枢支ベース部の側面図、（Ｄ）は（Ｃ）のＹａ−Ｙａ矢視図である。
【図４】（Ａ）は収納枠体の正面図、（Ｂ）は（Ａ）のＹｂ−Ｙｂ矢視断面図、（Ｃ）は（Ｂ）の（ア）部拡大図、（Ｄ）は（Ｂ）の（イ）部拡大図である。
【図５】（Ａ）は平板状壁面取付具の斜視図、（Ｂ）は収納枠体の斜視図である。
【図６】（Ａ）は平板状壁面取付具の正面図、（Ｂ）は（Ａ）のＹｃ−Ｙｃ矢視断面図、（Ｃ）は（Ｂ）の（ウ）部拡大図、（Ｄ）は係止部の拡大斜視図である。
【図７】（Ａ）は平板状壁面取付具と収納枠体の拡大縦断側面図、（Ｂ）は（Ａ）の要部拡大図である。
【図８】（Ａ）は平板状壁面取付具を壁面部に固着する工程図、（Ｂ）は平板状壁面取付具を装着した状態の拡大断面図、（Ｃ）は（Ｂ）の（エ）部拡大図である。
【図９】（Ａ）は収納枠体を平板状壁面取付具に装着した状態の縦断側面図、（Ｂ）は（Ａ）の（オ）部拡大図である。
【図１０】（Ａ）は収納枠体を平板状壁面取付具に装着する要部正面図、（Ｂ）は収納枠体を平板状壁面取付具に装着した要部正面図である。
【図１１】収納枠体に折畳み具を装着する工程の縦断側面略示図である。
【図１２】（Ａ）は平板状壁面取付具に折畳み具を装着する工程の要部拡大図、（Ｂ）は平板状壁面取付具に折畳み具を装着した状態の要部拡大図、（Ｃ）は（Ｂ）の（キ）部拡大図、（Ｄ）は（Ｂ）の（ク）部拡大図である。
【図１３】（Ａ）は収納枠体に折畳み具を装着する状態の略示図、（Ｂ）は収納枠体折畳み具を装着した状態の略示図、（Ｃ）は（Ｂ）の一部省略したＹｄ−Ｙｄ矢視断面図である。
【図１４】（Ａ）は壁面部が壁パネルによって構成された場合の平板状壁面取付具の固着状態を示す正面図、（Ｂ）は（Ａ）のＸａ−Ｘａ矢視断面図、（Ｃ）は（Ｂ）の（ケ）部拡大図である。
【図１５】（Ａ）は本発明において２人掛タイプとした折り畳み状態の正面図、（Ｂ）は本発明において２人掛タイプとした開いた状態の正面図である。
【図１６】（Ａ）は本発明の壁備付け用折畳み椅子と共に併設する壁付鏡の一部切除した正面図、（Ｂ）は（Ａ）のＹｅ−Ｙｅ矢視断面図、（Ｃ）は（Ａ）の（コ）部拡大図、（Ｄ）は（Ａ）の（サ）部拡大図、（Ｅ）は（Ｂ）の（シ）部拡大図、（Ｆ）は本発明の壁備付け用折畳み椅子に壁付鏡を併設した状態の正面図、（Ｇ）は壁付鏡の壁面部に装着した状態を示す要部拡大断面図である。
【図１７】（Ａ）乃至（Ｄ）は壁付鏡を壁面部に取り付けるときの上部係止孔と下部係止孔と取付螺子との行程図である。
【図１８】（Ａ）乃至（Ｃ）は壁付鏡を壁面部に取り付ける行程の略示斜視図。
【発明を実施するための最良の形態】
【００１５】
以下、本発明の実施形態を図面に基づいて説明する。本発明は、図１，図２に示すように、主に折畳み具Ａと、座板３と、蓋板４と、収納枠体５と、奥板７と、壁面取付具８とから構成される。前記折畳み具Ａには、座板３及び蓋板４が装着されており、折畳み具Ａを折り畳んだり開いたりすることにより、座板３，蓋板４が収納枠体５に対して収納及び引出しによる椅子としての使用が自在に行われるように装着される〔図１（Ｂ）参照〕。
【００１６】
折畳み具Ａは、図３に示すように、主に折畳み機構部１と、緩衝部材２とから構成される。前記折畳み機構部１は、座板支持部材１１と、蓋板支持部材１２と、リンク部材１３と、抵抗杆１４と、枢支ベース部１５とから構成される。その座板支持部材１１の長手方向一端側に蓋板支持部材１２の上端が枢支連結され、該枢支連結箇所を便宜上、枢支部Ｐ1 と称する。座板支持部材１１及び蓋板支持部材１２は、その断面形状が略門形状をなしており、座板支持部材１１が蓋板支持部材１２よりも幅広に形成されている。前記座板支持部材１１は、支持面部１１ａ及び側面部１１ｂ，１１ｂから構成され、該支持面部１１ａの幅方向両側より略直角状に側面部１１ｂ，１１ｂが形成されている（図３参照）。
【００１７】
そして、座板支持部材１１の内部には蓋板支持部材１２が収納可能となっている。具体的には、座板支持部材１１の支持面部１１ａと側面部１１ｂ，１１ｂとで構成される筺体状内部に蓋板支持部材１２が収納される。その枢支部Ｐ1 を回動中心として座板支持部材１１と蓋板支持部材１２とが回動し、その折り畳み時には座板支持部材１１内に蓋板支持部材１２が収納されるものである。
【００１８】
リンク部材１３は、帯板状に形成されたものであり、前記座板支持部材１１と長手方向において、略同一長さに形成されている。その長手方向一端が前記蓋板支持部材１２に枢支連結され、該枢支連結箇所を便宜上、枢支部P2と称する。前記座板支持部材１１とリンク部材１３とが常時平行となるように、枢支ベース部１５に枢支連結される。その座板支持部材１１と枢支ベース部１５との枢支連結箇所を枢支部P3と称する。また、リンク部材１３と枢支ベース部１５との枢支連結箇所を枢支部Ｐ4と称する〔図１（Ｂ），図１１等参照〕。
【００１９】
前記蓋板支持部材１２とリンク部材１３との間には、抵抗杆１４の長手方向両端が枢支連結されている。該抵抗杆１４と前記蓋板支持部材１２との枢支連結箇所を枢支部P5とし、リンク部材１３との枢支連結箇所を枢支部P6とする。各枢支部P1 乃至枢支部P6は、ピンによる枢支構造とするものであるが、座板支持部材１１と抵抗杆１４との枢支部P5箇所には、緩衝部材２が装着される〔図３（Ａ）参照〕。
【００２０】
該緩衝部材２は、具体的にはオイルダンパー等が使用されるもので、主に本体部２１と抵抗部２２とから構成され、該抵抗部２２が本体部２１に対して一方の回転方向にのみ対抗して回転方向に抵抗力を発生し、その反対方向の回転には抵抗力が生じないタイプのものである。ここで、抵抗力とは、緩衝部材２にかかる回転モーメント等の外力を受け止め、その衝撃を吸収しつつ緩やかで且つゆっくりとした動作に変化させる力のことをいう。緩衝部材２は、緩衝部材取付具１６により、前記座板支持部材１１の側面部１１ｂに装着されるものであって、前記緩衝部材取付具１６により、緩衝部材２の本体部２１が座板支持部材１１に固定される。また、緩衝部材２の抵抗部２２は、蓋板支持部材１２に穿孔された貫通孔を貫通して前記抵抗杆１４に相互に空転しないように固定される。
【００２１】
枢支ベース部１５は、図１，図２（Ｃ），図３等に示すように、折畳み具Ａを後述する平板状壁面取付具６に固着する部位であり、図３に示すように、枢支ベース板１５aには主連結片１５bと副連結片１５ｃとが形成されている。また、枢支ベース板１５aには、被係止部１５ｆが形成されている。該被係止部１５ｆは、後述する平板状壁面取付具６の係止部６３に係止連結される部位である。さらに枢支ベース板１５aには、取付孔１５ｄが形成されており後述する収納枠体５にビス等の固着具にて固着される。さらに、前記枢支ベース板１５aの下端は差込片１５eが形成され、該差込片１５eが、後述する収納枠体５の内部に形成された溝部５ａに差し込み挿入される〔図７（Ａ），図９，図１２参照〕。
【００２２】
前記枢支ベース部１５の主連結片１５bには、座板支持部材１１が枢支連結され、前記副連結片１５ｃには、リンク部材１３が枢支連結される。このようにして、前記座板支持部材１１，蓋板支持部材１２，リンク部材１３及び枢支ベース部１５によって、４節リンク機構が構成される。前記緩衝部材２は、折り畳まれた状態の座板支持部材１１と蓋板支持部材１２とが相互に開く動作を行う過程で抵抗力が生じるようになっている。抵抗力は、動作を止めることなく座板支持部材１１，蓋板支持部材１２等の折畳み具Ａの重量を受けて、その降下速度を減少させつつ、ゆっくりとした動作にする。緩衝部材２に抵抗力が生じることにより、座板支持部材１１と蓋板支持部材１２とがゆっくり回動し且つ降下して、蓋板支持部材１２が接地状態になる。また、座板支持部材１１と蓋板支持部材１２とを折り畳むときには、緩衝部材２は抵抗力を生じないので簡単に折り畳むことができる。
【００２３】
前記緩衝部材２は、上述したように枢支部Ｐ5 箇所以外に枢支部Ｐ1 ，枢支部Ｐ2 ，枢支部Ｐ3 、枢支部Ｐ4 或いは枢支部Ｐ6 等に装着されてもかまわない。この場合には、緩衝部材２の抵抗部２２がピンの役目をなすようにしてもかまわない。また、枢支部Ｐ5 ，枢支部Ｐ6 以外の枢支部Ｐ1 乃至枢支部Ｐ4 に緩衝部材２を装着する場合には前記抵抗杆１４は不要となる。
【００２４】
前記折畳み具Ａが左右対称的に二つ備えられ、両折畳み具Ａ，Ａの両座板支持部材１１，１１上に座板３が装着されている〔図１（Ａ），図２参照〕。また、両蓋板支持部材１２，１２は、蓋板４が装着されている。そして、折畳み具Ａの座板支持部材１１と蓋板支持部材１２との折畳み時には、前記蓋板４が収納枠体５の内部に収納された座板３等を塞ぐ役目なすものである。
【００２５】
座板３は、金属製の薄板から長方形又は正方形等の方形状に形成されている。該座板３は、その幅方向両側に所定間隔をおいて前記折畳み具Ａの座板支持部材１１が固着されている。具体的には前記座板３の裏面側に、螺子軸が固着され、該螺子軸を介してナットと共に固着される。
【００２６】
蓋板４は、金属製の薄板から形成され、主板部４１と把手４２とから構成される。主板部４１は、長方形又は正方形等の略方形状に形成される。蓋板４の主板部４１の幅方向の寸法は、前記座板３の幅方向の寸法と等しいことが好ましい。蓋板４は、椅子として使用するときには前記座板３と共に、椅子の脚部を構成し、椅子を収納枠体５に収納した状態では、前記主板部４１にて、収納枠体５の方形状枠内方側である方形状枠内方空隙５ｓを略全面的に塞ぐ役目をなすものである（図１，図２参照）。
【００２７】
前記把手４２の実施形態としては、前記蓋板４の上端に、該蓋板４によって、前記収納枠体５の方形状枠内方空隙５ｓを塞いだ状態で、前記横枠部材５２との間に手を差し込むことができるスペース（空隙）を設けたものである。具体的には、図２に示すように、収納枠体５の上側の横枠部材５２に対応する前記蓋板４の主板部４１の１辺が略凹部形状に切除されたものであり、この切除部分が把手４２として使用される。該把手４２は、座板３と蓋板４とを収納枠体５から引き出したり又は折り畳むときに、手の指を誤って挟むことを防止する役目をなす。前記把手４２は、前記主板部４１の上下方向の略中間に形成されている。前記把手４２は、横方向（水平方向）に延長する貫通する長孔として形成される。
【００２８】
また、把手４２を前記主板部４１とは別部材となる該主板部４１の表面から突出する摘みタイプの突起部として形成されることもある。前記把手４２を介して蓋板４を引き出すことにより、折畳み機構部１の座板支持部材１１とリンク部材１３とが平行移動し、蓋板支持部材１２は垂直状を維持しながら、壁面より外方に突出し、折畳み機構部１と、前記座板支持部材１１に固着された座板３とが椅子を構成するものである。
【００２９】
前記収納枠体５は、図２，図４，図５に示すように、幅方向両側の２本の縦枠部材５１，５１と、上下方向両側の２本の横枠部材５２，５２とから構成される。２本の縦枠部材５１，５１と、２本の横枠部材５２，５２は、長方形又は正方形等の枠を構成する。前記縦枠部材５１には、該縦枠部材５１の長手方向に沿って縦板片５１１が形成されている。また、横枠部材５２にもその長手方向に沿って横板片５２１が形成されている。縦枠部材５１と横枠部材５２によって方形状の枠体を形成するときに、枠内方側に前記縦板片５１１及び横板片５２１が位置され、前記両縦板片５１１，５１１と横板片５２１，５２１によって平板状の枠体が構成される。
【００３０】
前記両縦板片５１１には、被係止部５３が形成されている〔図４（Ａ），（Ｂ）参照〕。該被係止部５３は、それぞれの縦板片５１１の貫通孔状の被係止部５３が上下方向に沿って複数形成される。具体的には、それぞれの縦板片５１１に２個の被係止部５３，５３が上下方向に形成される。被係止部５３の貫通孔の形状は、長方形又は正方形とした方形状である。前記両縦枠部材５１，５１及び両横枠部材５２，５２は、それぞれコーナジョイント材５４，５４，…によって連結固着される。コーナジョイント材５４は、一つの収納枠体５において４個使用されることなる。前記両縦枠部材５１，５１の内側面５１ａ，５１ａ及び両横枠部材５２，５２の内側面５２ａ，５２ａで且つ前記縦板片５１１及び横板片５２１の付け根箇所にはその枠体の周方向に沿って溝部５ａが形成されている。さらに、前記縦板片５１１には、取付用貫通孔５６，５６，…が形成されている。
【００３１】
さらに、収納枠体５を構成する上側の横枠部材５２の上方には手摺５５が設けられている〔図４（Ａ），（Ｂ）参照〕。該手摺棒支持部５５ｂ，５５ｂは、前記上側の横枠部材５２の幅方向両側に配置されたコーナジョイント材５４，５４に上方に突出するように一体的に形成され、両手摺棒支持部５５ｂ，５５ｂによって前記手摺棒部５５ａの軸方向両端が支持固定される。また、収納枠体５の裏面側には、後述する平板状壁面取付具６が収まる段差状空隙部５ｔが形成される。該段差状空隙部５ｔは、前記両縦枠部材５１，５１と両横枠部材５２，５２の裏面側の面と、前記両縦板片５１１，５１１と前記両横板片５２1，５２１の裏面側の面とによる段差にて形成される空隙部である。
【００３２】
平板状壁面取付具６は、前記収納枠体５及び折畳み具Ａを壁面部１００に取り付けるために、収納枠体５と壁面部１００との間に介在される部材である。平板状壁面取付具６は、図５（Ａ），図６に示すように、平板金属材から形成されたものであり、長方形又は正方形等の方形状に形成されたものである。平板状壁面取付具６は、内部側に長方形又は正方形等の方形状に切除された貫通孔となっており、平板状の方形状の枠体が形成されることになる。そして、平板状壁面取付具６の幅方向（横方向）両側の板片を縦基板６１，６１と称する。また上下方向両側の板片を横基板６２，６２と称する。前記両縦基板６１，６１にはそれぞれに複数の係止部６３，６３，６３が形成されている。
【００３３】
該係止部６３は、その先端が上向きで且つ略鉤状に形成されたものである〔図６（Ｃ），（Ｄ）参照〕。具体的には、前記平板状壁面取付具６の縦基板６１の一部に切り抜き箇所が形成され、縦基板６１の肉部を平板状壁面取付具６の表面側に押し出し、且つ断面形状を略「Ｌ」字形状となるように屈曲形成されたものである。係止部６３は、前記収納枠体５の被係止部５３及び前記折畳み具Ａの枢支ベース部１５の被係止部１５ｆに対応する。また、平板状壁面取付具６の両縦基板６１，６１及び両横基板６２，６２には、壁面部１００にビス等の固着具にて固着するための取付用貫通孔６４，６４，…が形成されている。
【００３４】
平板状壁面取付具６は、壁面部１００に固着することによって、収納枠体５及び折畳み具Ａを極めて容易に壁面部１００に取り付けることができる。すなわち、平板状壁面取付具６の係止部６３，６３，…に前記収納枠体５の被係止部５３，５３，…及び折畳み具Ａの枢支ベース部１５の被係止部１５ｆ，１５ｆ，…を係止するのみで、収納枠体５及び折畳み具Ａを壁面部１００に取付固定することができる。
【００３５】
さらに、収納枠体５と折畳み具Ａとを壁面部１００に完全に固定するために、ビス等の固着具によって締め付けるものであるが、前記平板状壁面取付具６は、その固着具による締付作業を行う際に作業員が作業を行い易くするために収納枠体５と折畳み具Ａとを壁面部１００に仮留状態にする役目もなす。
【００３６】
平板状壁面取付具６は、薄板金属材から形成されたもので、前記収納枠体５の段差状空隙部５ｔに収まる程度の肉厚とすることで、平板状壁面取付具６が段差状空隙部５ｔに収納される状態となる（図７，図９参照）。前記収納枠体５の裏面は、壁面部１００に密着させることができ、壁面部１００に取り付けられた収納枠体５が壁面部１００との間に隙間が生じることがないようにすることができる。
【００３７】
奥板7は、図１（Ａ），図２（Ｂ），（Ｃ）に示すように、前記収納枠体５の方形状枠内方空隙５ｓの奥側に装着されるものであり、金属又は合成樹脂により形成された薄板材である。奥板7は、その平面形状が略逆「凸」字形状に形成されており、収納枠体５に装着された前記折畳み具Ａと相互に干渉しない形成である。奥板7は、前記収納枠体５の方形状枠内方空隙５ｓに配置された両縦板片５１１，５１１及び両横板片５２１，５２１の表面側に当接するようにして、両面テープ等の固着具又は接着剤等にて固着される。奥板7は、収納枠体５から方形状枠内方空隙５ｓの奥側に露出する壁面部１００又は平板状壁面取付具６を隠す役目をなすものである。
【００３８】
さらに、収納枠体５又は奥板7のいずれか一方にはマグネットｍが装着され、蓋板４を収納枠体５に閉じた状態を確実且つ維持するようにすることができる。蓋板４は金属なので、前記マグネットｍにそのままで吸引固定される。これによって、蓋板４を閉じたときにマグネットｍに吸着して、蓋板４が収納枠体５の方形状枠内方空隙５ｓを塞いだ状態を安定させることができる。
【００３９】
前記両蓋板支持部材１２，１２の下端には、高さ調整機構を設ける構造とすることもある。これについては、特に図示しないが高さ調整部として外周が外螺子となっており、蓋板支持部材１２内には内螺子を形成し、その高さ調整部材が蓋板支持部材１２の下端より迫り出したり、引き込んだりすることにより、蓋板支持部材１２の全高さを微調整するようにしたものである。これにより、本発明の壁備付け用折畳み椅子を壁面部１００に装着する際に、玄関床面と蓋板支持部材１２，１２との当接を座板３が水平になるように設置することができる。
【００４０】
なお、左右一対として、座板３を支持する折畳み具Ａ，Ａは、両方とも緩衝部材２を備えたものが使用されたり、或いは片方のみの折畳み具Ａに緩衝部材２を備え、他方側の折畳み具Ａには緩衝部材２を装着しないものとすることもある。さらに、緩衝部材２の抵抗力は、折畳み具Ａ及び座板３の重量に応じて適宜に変化させるもので、折畳み具Ａ及び座板３が適度にゆっくりと降下できる程度となるように決定されることが好ましい。
【００４１】
さらに、上記の実施形態では、折畳み具Ａは、緩衝部材２とリターンスプリングとの組み合わせにより、所定の動作が行われるものであるが、その折畳み具Ａにおいて、前記緩衝部材２を装着しないで、リターンスプリングのみで、折畳み具Ａ及び座板３が適度にゆっくりと降下できるようにすることも可能である。
【００４２】
次に、本発明を一軒家、マンション、アパート等の住宅の玄関に装着する工程について説明する。まず、壁面部１００がコンクリート壁の場合では、壁面部１００に平板状壁面取付具６が取付用貫通孔６４，６４，…を介してコンクリートビス，ドリルビス等の固着具にて固着される（図８参照）。平板状壁面取付具６は、取付位置の高さＨが予め決められており、具体的には、収納枠体５及び折畳み具Ａが平板状壁面取付具６の係止部６３，６３，…を介して装着されたときに、座板支持部材１１が水平状となり、蓋板支持部材１２が垂直状となるように設定されるべく位置でなければならない。図８では、床面より高さＨの位置が平板状壁面取付具６の下端となるように設置している状態である。
【００４３】
次に、平板状壁面取付具６のそれぞれの係止部６３，６３，…に、収納枠体５の被係止部５３，５３，…の位置を対応させて、係止部６３，６３，…と被係止部５３，５３，…とを係止させて、収納枠体５を壁面部１００に固着させる（図９，図１０参照）。ここで、収納枠体５の被係止部５３，５３，…は、方形状貫通孔であり、該被係止部５３に鉤状とした前記係止部６３を挿入させ、係止部６３が被係止部５３に対して挿入完了した状態で収納枠体５を下方に下ろすようにすると、係止部６３が被係止部５３に食い込むようにして係止されるものである（図１０参照）。さらに、取付用貫通孔５６，５６，…にビス等の固着具を挿入して、前記平板状壁面取付具６と収納枠体５とを固着具にて固着する。すなわち、平板状壁面取付具６と収納枠体５とは、前記被係止部５３，５３，…と前記係止部６３，６３，…との係止状態とビス等の固着具による固着が行われる〔図１０（Ｂ）参照〕。
【００４４】
収納枠体５が平板状壁面取付具６に適正に装着された状態では、最下端に位置する係止部６３，６３が両縦板片５１１，５１１と両横板片５２1，５２１とからなる平板状方形状枠内に位置して方形状枠内方空隙５ｓ内に露出した状態となる。次に、収納枠体５の方形状枠内方空隙５ｓの下方位置に折畳み具Ａの枢支ベース部１５を配置し、被係止部１５ｆを平板状壁面取付具６の係止部６３に係止させつつ、枢支ベース部１５の差込片１５eを収納枠体５の下側の横枠部材５２に形成された溝部５ａに差し込み挿入させる〔図７（Ａ），図１１，図１２，図１３参照〕。これによって、枢支ベース部１５の枢支ベース板１５aは、上方側で被係止部１５ｆと、係止部６３との係止連結固定が行われ、枢支ベース板１５aの下方にて挿し孔２１と収納枠体５の溝部５ａとによる固定が行われ、極めて強固なる固定が可能となる。さらに、枢支ベース部１５には取付用貫通孔１５ｄ，１５ｄ，…が形成されており、ビス等の固着具を介して収納枠体５の縦板片５１１に固着される〔図１３（Ｃ）参照〕。すなわち、枢支ベース部１５は、前記平板状壁面取付具６と収納枠体５の両方に亘って強固に固定されることになる。
【００４５】
そして、使用時には、蓋板４を引き出すと、座板支持部材１１とリンク部材１３，１３とが平行状態を維持して回動しつつ、その自由端側が降下する。その蓋板支持部材１２の降下は、緩衝部材２の抵抗力が作用してゆっくり静かに接地することができる。その座板３及び蓋板支持部材１２が降下する過程で、前記緩衝部材２の抵抗力が作用して、ゆっくりと降下する〔図１（Ｂ）参照〕。
【００４６】
次に、前記壁面部１００が、コンクリート壁ではなく、石膏ボード等の比較的強度の少ない建材による壁の場合について、本発明の取り付けを説明する（図１４参照）。まず、壁の壁パネル１００aを支持する柱状の支持材１００ｂの位置を確認する。該支持材１０
０ｂは、具体的にはスタッド（軽天下地）によって形成されており、壁において通常は３００ミリの間隔にて配置されているものである。
【００４７】
そして、支持材１００ｂの位置が確認されたら、前記平板状壁面取付具６の取付用貫通孔６４，６４，…の位置を前記支持材１００ｂの位置に合わせて、ビス等の固着具を介して、前記壁パネル１００ａを貫通しつつ支持材１００ｂにねじ込み、平板状壁面取付具６を壁面部１００に固着する〔図１４（Ｂ），（Ｃ）参照〕。平板状壁面取付具６は、その幅方向両側箇所をビス等の固着具を介して隣接する２本の支持材１００ｂ，１００ｂに亘って固着させることが高い強度を得られる〔図１４（Ａ），（Ｂ）参照〕。
【００４８】
また、支持材１００ｂのピッチ間隔が大きくて、平板状壁面取付具６を２本の支持材１００ｂ，１００ｂに亘って固着することができない場合には、１本の支持材１００ｂの位置に前記平板状壁面取付具６の幅方向中心箇所を配置し、この中央箇所に位置する前記取付用貫通孔６４に固着具を介して固着する。このようにして、壁パネル１００ａ及び支持材１００ｂからなる壁面部１００に平板状壁面取付具６がビス等の固着具にて固着されれば、あとは、コンクリート壁の場合と同様の工程となる。
【００４９】
図１６は、本発明の壁備付け用折畳み椅子に併設される壁付鏡９である。該壁付鏡９は、２本の縦枠部材９１，９１と、上下方向両側の２本の横枠部材９２，９２と同一断面の部材から構成され、これら縦枠部材９１，９１と横枠部材９２，９２によって鏡板９５が支持される〔図１６（Ａ），（Ｂ）参照〕。前記縦枠部材９１及び前記横枠部材９２は、本発明の壁備付け用折畳み椅子の前記収納枠体５を構成する縦枠部材５１及び横枠部材５２と同一断面となる同一部材である。
【００５０】
ただし、縦枠部材９１は、収納枠体５の縦枠部材５１よりも寸法が大きく形成される〔図１４（Ｆ）参照〕。前記壁付鏡９の上下両端の横枠部材９２，９２に上部係止孔９３及び下部係止孔９４がそれぞれ形成されている〔図１６（Ａ），（Ｃ），（Ｄ）参照〕。前記上部係止孔９３は、図１６（Ｃ）に示すように、略三角山形状の案内溝部９３aが形成され、該案内溝部９３aの頂部箇所より垂直方向に垂直溝９３ｂが形成され、該垂直溝９３ｂの頂部より水平方向に水平溝９３ｃが形成され、該水平溝９３ｃの端部から垂直方向に終端溝９３ｄが形成される。
【００５１】
該終端溝９３ｄは、壁付鏡９の幅方向中心位置、すなわち前記横枠部材９２の長手方向の中央に位置している。前記案内溝部９３a，垂直溝９３ｂ，水平溝９３c及び終端溝９３ｄには、取付螺子３００の螺子軸部３００ａのみが通過することができ、螺子頭部３００ｂは通過することができない。前記下部係止孔９４は、図１６（Ｄ）に示すように、大貫通孔９４aと、小貫通孔９４ｂとが連通して略ダルマ形状となるように形成される。
【００５２】
ここで、前記小貫通孔９４ｂは、大貫通孔９４aよりも上方に位置している〔図１６（
Ｄ）参照〕。前記大貫通孔９４aは、螺子軸部３００ａと螺子頭部３００ｂが共に通過す
ることができるが、前記小貫通孔９４ｂには螺子軸部３００ａのみが通過でき、螺子頭部３００ｂは通過できないサイズとなっている。
【００５３】
まず、壁面部１００に上下に取付螺子３００をねじ込む。このとき、螺子頭部３００ｂ付近の螺子軸部３００ａは、壁面部１００の表面から突出させておく。また、上下の取付螺子３００，３００の間隔は、壁付鏡９の上部係止孔９３の終端溝９３ｄの頂部と、前記下部係止孔９４の小貫通孔９４ｂとの間隔と略同一間隔としておく。そして、壁付鏡９の上方の横枠部材９２の上部係止孔９３の案内溝部９３aから取付螺子３００の螺子軸部３
００ａを導入させ、取付螺子３００をそのまま垂直溝９３ｂの頂部へ移動させる。
【００５４】
前記垂直溝９３ｂの頂部には、水平溝９３cが位置しており、螺子軸部３００ａが水平
溝９３cに到達したときに、下方に位置する取付螺子３００の螺子頭部３００ｂが下部係
止孔９４の大貫通孔９４aに挿入させる。そして、壁付鏡９の上方を水平方向に移動させ
ると、取付螺子３００は終端溝９３ｄの下端に到達し、そのままの状態で壁付鏡９を下方に下ろすと、上部係止孔９３の終端溝９３ｄと、下部係止孔９４の小貫通孔９４ｂに上下の取付螺子３００の螺子軸部３００ａが入り込み、壁付鏡９を壁面部１００に装着することができる。
【００５５】
本発明の壁備付け用折畳み椅子は、上述したようにマンション，アパート，家屋等の玄関の壁面に装着するものであるが、その他に廊下，キッチン，公共の場等に据え付けることにより、極めて便利なものとなる。たとえば、長い廊下に設置すれば、高齢者にとっては歩行の途中で休息するのに都合が良い。
【００５６】
また、キッチンに設置すれば、腰掛けて仕事をすることが可能な場合では、座板３を引き出すことで、簡単に椅子を用意することができ、不要なときには座板３を収納することでキッチン空間を有効に使用することができる。さらに電話設置場所等の公共の場においては、電話の長時間会話のみに座板３を使用すればよく、普段は収納した状態とすれば電話設置箇所の周辺スペースは極めて有効に使用することができる。なお、収納枠体５は、幅方向に長尺として、複数の座板と蓋板と折畳み具とが横方向に並列される構成とすることも可能である。このような構成とすることによって、収納枠体５には、幅方向に長い座板３と、該座板３の幅方向と同寸法の蓋板４と折畳み具Ａとが備わったものが存在し、同時に２人以上の複数人の使用が可能となる（図１５参照）。
【符号の説明】
【００５７】
Ａ…折畳み具、１１…座板支持部材、１２…蓋板支持部材、１３…リンク部材、
１５…枢支ベース部、３…座板、４…蓋板、５…収納枠体、５１…縦枠部材、
５２…横枠部材、６…平板状壁面取付具、７…奥板、ｍ…マグネット。
【図１】
0005478220.tif 000002
【図２】
0005478220.tif 000003
【図３】
0005478220.tif 000004
【図４】
0005478220.tif 000005
【図５】
0005478220.tif 000006
【図６】
0005478220.tif 000007
【図７】
0005478220.tif 000008
【図８】
0005478220.tif 000009
【図９】
0005478220.tif 000010
【図１０】
0005478220.tif 000011
【図１１】
0005478220.tif 000012
【図１２】
0005478220.tif 000013
【図１３】
0005478220.tif 000014
【図１４】
0005478220.tif 000015
【図１５】
0005478220.tif 000016
【図１６】
0005478220.tif 000017
【図１７】
0005478220.tif 000018
【図１８】
0005478220.tif 000019